(57)【要約】【課題】無駄な消費電力の増大を抑制することのできる電気泳動表示パネルの駆動装置、電気泳動表示パネルの駆動方法、電気泳動表示装置及び電子機器を提供する。【解決手段】セグメント電極ＶＳＥＧ０に駆動電圧を供給する出力回路Ｘ４０は、シリアルデータを構成する電圧データに基づくデータ信号ＤＩＮの信号レベルに基づいて相補的に開閉される転送ゲートＴＧ１，ＴＧ２を備える。転送ゲートＴＧ１には、第１制御信号Ｓ１が入力される。転送ゲートＴＧ２には、第２制御信号Ｓ２が入力される。また、転送ゲートＴＧ１，ＴＧ２の出力はセグメント電極ＶＳＥＧ０に接続される。【選択図】図５
2008242381.tif 000002
【特許請求の範囲】
【請求項１】
共通電極と、該共通電極に対向して配置された複数のセグメント電極と、前記共通電極
と前記セグメント電極との間に配置される電気泳動粒子を含有する分散系とを含むセグメ
ント表示方式の電気泳動表示パネルの駆動装置であって、
一連の直列データとして供給される複数の表示データに応じた電圧値の駆動電圧を前記
セグメント電極に供給する駆動回路を備え、
前記駆動回路は、
前記表示データとは別に、全ての当該駆動回路に入力される少なくとも一つの外部制御
信号に基づいて、前記表示データに応じた駆動電圧を前記表示データの反転データに応じ
た電圧値に切り替える切替回路を含むことを特徴とする電気泳動表示パネルの駆動装置。
【請求項２】
前記切替回路は、少なくとも二つの前記外部制御信号に基づいて、前記表示データに関
わらず、前記駆動電圧を、所定の階調を表示するための所定レベルの電圧値に切り替える
ことを特徴とする請求項１に記載の電気泳動表示パネルの駆動装置。
【請求項３】
前記少なくとも二つの外部制御信号は、第１外部制御信号と第２外部制御信号とを含み
、
前記切替回路は、前記表示データの信号レベルに基づいて相補的に開閉される二つの第
１転送ゲート及び第２転送ゲートからなり、
前記第１外部制御信号が前記第１転送ゲートを介して前記駆動電圧として前記セグメン
ト電極に供給されるとともに、前記第２外部制御信号が前記第２転送ゲートを介して前記
駆動電圧として前記セグメント電極に供給されることを特徴とする請求項２に記載の電気
泳動表示パネルの駆動装置。
【請求項４】
前記第１転送ゲート及び前記第２転送ゲートはそれぞれ、ＰチャネルＭＯＳトランジス
タとＮチャネルＭＯＳトランジスタとが並列に接続されてなることを特徴とする請求項３
に記載の電気泳動表示パネルの駆動装置。
【請求項５】
前記外部制御信号は、高電位電源レベル、低電位電源レベルあるいはハイインピーダン
スのいずれかを出力することを特徴とする請求項３又は４に記載の電気泳動表示パネルの
駆動装置。
【請求項６】
前記駆動回路は、
前記外部制御信号を生成するための第１生成信号及び第２生成信号が入力されて、前記
第１生成信号及び前記第２生成信号の信号レベルに応じて、高電位電源レベル、低電位電
源レベルあるいはハイインピーダンスのいずれかを前記外部制御信号として出力する３値
出力回路を含むことを特徴とする請求項５に記載の電気泳動表示パネルの駆動装置。
【請求項７】
前記直列データとは別に供給される電圧データに応じて、前記低電位電源レベルと前記
高電位電源レベルとを所定期間ごとに反転させて前記共通電極に印加する出力回路を含み
、
所定の前記セグメント電極に供給される前記駆動電圧と同電位の電圧が前記共通電極に
供給されるときに、前記所定のセグメント電極に前記ハイインピーダンスの外部制御信号
が供給されることを特徴とする請求項５又は６に記載の電気泳動表示パネルの駆動装置。
【請求項８】
前記駆動回路は、シフトレジスタとデータラッチとからなり、前記直列データを並列デ
ータに変換する直並列変換回路を含み、
前記データラッチには、電源電圧を低電圧レベルから前記分散系を駆動可能な高電圧レ
ベルに変更可能な高電位電源が接続されていることを特徴とする請求項１〜７のいずれか
１つに記載の電気泳動表示パネルの駆動装置。
【請求項９】
共通電極と、該共通電極に対向して配置された複数のセグメント電極と、前記共通電極
と前記セグメント電極との間に配置される電気泳動粒子を含有する分散系とを含むセグメ
ント表示方式の電気泳動表示パネルの駆動装置であって、
一連の直列データとして供給される複数の表示データに応じた電圧値の駆動電圧を前記
セグメント電極に供給する駆動回路を備え、
前記駆動回路は、
前記表示データとは別に、全ての当該駆動回路に入力される少なくとも二つの外部制御
信号に基づいて、前記表示データに関わらず、前記駆動電圧を所定レベルの電圧値に切り
替える切替回路を含むことを特徴とする電気泳動表示パネルの駆動装置。
【請求項１０】
共通電極と、該共通電極に対向して配置された複数のセグメント電極と、前記共通電極
と前記セグメント電極との間に配置される電気泳動粒子を含有する分散系とを含むセグメ
ント表示方式の電気泳動表示パネルの駆動方法であって、
駆動回路において、一連の直列データとして供給される複数の表示データに応じた電圧
値の駆動電圧を前記セグメント電極に供給する第１の工程と、
前記表示データとは別に、全ての前記駆動回路に入力される少なくとも一つの外部制御
信号に基づいて、前記表示データに応じた駆動電圧を前記表示データの反転データに応じ
た電圧値に切り替える第２の工程とを含むことを特徴とする電気泳動表示パネルの駆動方
法。
【請求項１１】
少なくとも二つの前記外部制御信号に基づいて、前記表示データに関わらず、前記駆動
電圧を、所定の階調を表示するための所定レベルの電圧値に切り替える第３の工程とを含
むことを特徴とする請求項１０に記載の電気泳動表示パネルの駆動方法。
【請求項１２】
請求項１〜９のいずれか１つに記載の駆動装置を備えた電気泳動表示装置。
【請求項１３】
請求項１２に記載の電気泳動表示装置を備えた電子機器。
【発明の詳細な説明】
【技術分野】
【０００１】
本発明は、セグメント表示方式の電気泳動表示パネルの駆動装置、電気泳動表示パネル
の駆動方法、電気泳動表示装置及び電子機器に関するものである。
【背景技術】
【０００２】
非発光型の表示デバイスとして、電気泳動現象を利用した電気泳動表示装置が知られて
いる（例えば、特許文献１〜４参照）。ここで、電気泳動現象とは、液体中（分散媒）に
微粒子（電気泳動粒子）を分散させた分散系に、電界を印加したときに微粒子がクーロン
力により泳動する現象である。
【０００３】
このような電気泳動表示装置の駆動方式の一つとしてセグメント表示方式がある。この
セグメント表示方式では、電気泳動表示体を駆動する電極を分割し、分割されたセグメン
ト電極ごとに表示制御を行うことにより、電気泳動表示パネルに表示パターンを形成させ
ることができる。
【０００４】
この種の電気泳動表示装置は、電気泳動表示パネルと該電気泳動表示パネルを駆動する
駆動装置とを備えている。電気泳動表示パネルは、透明な共通電極と該共通電極に対向し
て配置された複数のセグメント電極との間に、電気泳動粒子及び分散媒からなる分散系が
配置されて構成されている。電気泳動表示パネルの駆動装置は、表示すべき画像に応じて
共通電極及び各セグメント電極に電圧を印加し、上記電気泳動粒子をいずれかの電極側に
移動させることにより、電気泳動表示パネルに所望の画像を表示させる。
【０００５】
この電気泳動表示パネルの駆動装置の回路構成について図２０及び図２１に従って説明
する。図２０に示すように、駆動装置６０は、入力インターフェース部６１と電気泳動表
示パネル（ＥＰＤ）駆動部６２を備えている。
【０００６】
入力インターフェース部６１は、外部コンピュータ（図示略）から供給される各セグメ
ント電極に設定すべき一連の電圧データからなるシリアルデータＳＤＡＴが入力される。
このシリアルデータＳＤＡＴは、ＤフリップフロップＸ１０〜Ｘ１２によって構成される
シフトレジスタに入力され、このシフトレジスタによりパラレルデータに変換される。変
換されたパラレルデータは、ＤフリップフロップＸ２０〜Ｘ２２から構成されるデータラ
ッチにラッチされる。ＤフリップフロップＸ２０〜Ｘ２２は、ラッチした電圧データを、
レベルシフタＸ３０〜Ｘ３２を介してＥＰＤ駆動部６２の出力回路Ｘ６０〜Ｘ６２のＸＤ
ＩＮ端子にそれぞれ供給する。このレベルシフタＸ３０〜Ｘ３２は、Ｌレベル（低電位電
源ＶＳＳ）である電圧データを同一レベルのまま出力回路Ｘ６０〜Ｘ６２に出力し、ＨＬ
レベル（高電位電源としての低電圧レベルＬＶＤＤ）である電圧データを、上記分散系を
駆動可能な電圧である高電圧レベルＨＶＤＤに変換して出力回路Ｘ６０〜Ｘ６２に出力す
る。
【０００７】
また、入力インターフェース部６１には、外部コンピュータから供給される共通電極に
設定すべき電圧データＤＣＯＭが電圧信号ＳＣＯＭとして入力される。入力インターフェ
ース部６１は、電圧データＤＣＯＭを、レベルシフタＸ３３を介して出力回路Ｘ６３のデ
ータ端子ＤＩＮに供給する。また、入力インターフェース部６１は、出力を指令する出力
指令信号ＳＥＮを外部コンピュータから受け取ると、該出力指令信号ＳＥＮを出力制御信
号ＯＥとして出力回路Ｘ６０〜Ｘ６３のＯＥ端子に供給する。
【０００８】
ＥＰＤ駆動部６２を構成する出力回路Ｘ６０〜Ｘ６３は、非出力指令を示す出力制御信
号ＯＥが入力されると、ＤＯＵＴ端子をハイインピーダンス（Ｈｉ−Ｚ）とする。また、
出力回路Ｘ６０〜Ｘ６３は、出力指令を示す出力制御信号ＯＥが入力されると、レベルシ
フタＸ３０〜Ｘ３３からの電圧データに応じた駆動電圧を、各セグメント電極ＶＳＥＧ及
び共通電極ＶＣＯＭにそれぞれ印加する。
【０００９】
このような出力回路Ｘ６０〜Ｘ６３は、例えば図２１に示すような３状態インバータに
より構成されている。この３状態インバータからなる出力回路Ｘ６０では、出力制御信号
ＯＥによりオンオフ制御されるトランジスタＱＰ２２，ＱＮ２２がオフのときに、ＤＯＵ
Ｔ端子がＨｉ−Ｚに設定されてセグメント電極ＶＳＥＧ０がＨｉ−Ｚに設定される。また
、３状態インバータでは、上記トランジスタＱＰ２２，ＱＮ２２がオンのときに、レベル
シフタＸ３０にてレベル変換された電圧データが駆動電圧としてＤＯＵＴ端子からセグメ
ント電極ＶＳＥＧ０に供給される。
【特許文献１】特開２００２−１１６７３３号公報
【特許文献２】特開２００３−１４０１９９号公報
【特許文献３】特開２００４−００４７１４号公報
【特許文献４】特開２００４−１０１７４６号公報
【発明の開示】
【発明が解決しようとする課題】
【００１０】
ところで、このように電圧データをシリアル転送する駆動装置では、複数のセグメント
電極のうち１つのセグメント電極の電圧レベルを変更する場合であっても、全てのセグメ
ント電極に対する電圧データ、すなわちシリアルデータＳＤＡＴを新たに供給して、デー
タラッチにラッチされた全電圧データを更新する必要がある。例えば、表示している画像
の反転画像を表示する場合や表示部全体を白色あるいは黒色にする全白表示あるいは全黒
表示などの単純な画像を表示する場合であっても、それらの表示を行うためには全てのセ
グメント電極及び共通電極に対する電圧データを毎回供給する必要がある。これによって
、電気泳動表示パネルの駆動装置における消費電力の増大だけでなく、電圧データの送信
側（外部コンピュータ側）でもシリアルデータ（一連の電圧データ）を形成するためのデ
ータ処理の負担とそれによる無駄な消費電力が増大し、電気泳動表示パネルを含むシステ
ム全体の低消費電力化が阻害されるという問題がある。
【００１１】
本発明は上記問題点を解決するためになされたものであって、その目的は、無駄な消費
電力の増大を抑制することのできる電気泳動表示パネルの駆動装置、電気泳動表示パネル
の駆動方法、電気泳動表示装置及び電子機器を提供することにある。
【課題を解決するための手段】
【００１２】
本発明の電気泳動表示パネルの駆動装置は、共通電極と、該共通電極に対向して配置さ
れた複数のセグメント電極と、前記共通電極と前記セグメント電極との間に配置される電
気泳動粒子を含有する分散系とを含むセグメント表示方式の電気泳動表示パネルの駆動装
置であって、一連の直列データとして供給される複数の表示データに応じた電圧値の駆動
電圧を前記セグメント電極に供給する駆動回路を備え、前記駆動回路は、前記表示データ
とは別に、全ての当該駆動回路に入力される少なくとも一つの外部制御信号に基づいて、
前記表示データに応じた駆動電圧を前記表示データの反転データに応じた電圧値に切り替
える切替回路を含む。
【００１３】
本発明の電気泳動表示パネルの駆動装置によれば、一連の直列データとして供給される
複数の表示データに応じて画像を表示する正画像表示と、表示データの反転データに応じ
て画像を表示する反転画像表示とが、外部制御信号に基づいて切り替えられる。すなわち
、表示データの反転データに相当するデータを直列データとして供給することなく、正画
像表示から反転画像表示に切り替えることができる。もちろん、直列データを供給するこ
となく、反転画像表示から正画像表示に切り替えることもできる。従って、正画像表示か
ら反転画像表示、あるいは反転画像表示から正画像表示に切り替える場合に、複数の表示
データからなる直列データの供給を省略できるため、その直列データを供給することによ
り駆動装置において生じる無駄な消費電力を低減することができる。さらに、直列データ
の供給を省略することにより、該直列データを形成する送信側における無駄な消費電力も
低減されるため、駆動装置及び電気泳動表示パネルを含むシステム全体の消費電力を低減
することができる。
【００１４】
この電気泳動表示パネルの駆動装置において、前記切替回路は、少なくとも二つの前記
外部制御信号に基づいて、前記表示データに関わらず、前記駆動電圧を、所定の階調を表
示するための所定レベルの電圧値に切り替えるようにしてもよい。
【００１５】
この電気泳動表示パネルの駆動装置によれば、二つの外部制御信号により、全てのセグ
メントが所定の階調に表示（単色表示）される。すなわち、所定の階調を表示するための
複数の表示データからなる直列データを供給することなく、全てのセグメントを単色表示
することができる。このように全てのセグメントを単色表示する場合についても、直列デ
ータの供給を省略できるため、その直列データを供給することにより生じる無駄な消費電
力を低減することができる。
【００１６】
この電気泳動表示パネルの駆動装置において、前記少なくとも二つの外部制御信号は、
第１外部制御信号と第２外部制御信号とを含み、前記切替回路は、前記表示データの信号
レベルに基づいて相補的に開閉される二つの第１転送ゲート及び第２転送ゲートからなり
、前記第１外部制御信号が前記第１転送ゲートを介して前記駆動電圧として前記セグメン
ト電極に供給されるとともに、前記第２外部制御信号が前記第２転送ゲートを介して前記
駆動電圧として前記セグメント電極に供給されるようにしてもよい。
【００１７】
この電気泳動表示パネルの駆動装置によれば、表示データの信号レベルに基づいて相補
的に開閉される第１転送ゲート及び第２転送ゲートを介して第１外部制御信号及び第２外
部制御信号が駆動電圧として出力される。従って、その第１外部制御信号及び第２外部制
御信号の信号レベルを所望のレベルに変更することにより、新たな表示データを供給する
ことなく、全てのセグメントを単色表示、正画像表示、反転画像表示を容易に切り替える
ことができる。
【００１８】
この電気泳動表示パネルの駆動装置において、前記第１転送ゲート及び前記第２転送ゲ
ートはそれぞれ、ＰチャネルＭＯＳトランジスタとＮチャネルＭＯＳトランジスタとが並
列に接続されてなるようにしてもよい。
【００１９】
この電気泳動表示パネルの駆動装置によれば、ＰチャネルＭＯＳトランジスタとＮチャ
ネルＭＯＳトランジスタとが並列に接続されて、第１及び第２転送ゲートが構成される。
この電気泳動表示パネルの駆動装置において、前記外部制御信号は、高電位電源レベル
、低電位電源レベルあるいはハイインピーダンスのいずれかを出力するようにしてもよい
。
【００２０】
従来の駆動装置６０においては、出力回路Ｘ６０〜Ｘ６２に入力される出力制御信号Ｏ
Ｅを、非出力指令を示す信号レベルに設定することでしか、セグメント電極ＶＳＥＧをハ
イインピーダンスに設定することができない。従って、従来の駆動装置６０では、分散系
を駆動している間に、一部のセグメント電極のみをハイインピーダンスに設定することが
困難であった。
【００２１】
これに対して、この電気泳動表示パネルの駆動装置によれば、駆動電圧として出力され
る外部制御信号をハイインピーダンスに設定することが可能であるため、分散系を駆動し
ている間でも、一部のセグメント電極のみをハイインピーダンスに容易に設定することが
できる。
【００２２】
この電気泳動表示パネルの駆動装置において、前記駆動回路は、前記外部制御信号を生
成するための第１生成信号及び第２生成信号が入力されて、前記第１生成信号及び前記第
２生成信号の信号レベルに応じて、高電位電源レベル、低電位電源レベルあるいはハイイ
ンピーダンスのいずれかを前記外部制御信号として出力する３値出力回路を含んでもよい
。
【００２３】
この電気泳動表示パネルの駆動装置によれば、３値出力回路から高電位電源レベル、低
電位電源レベルあるいはハイインピーダンスのいずれかの外部制御信号が出力される。
この電気泳動表示パネルの駆動装置において、前記直列データとは別に供給される電圧
データに応じて、前記低電位電源レベルと前記高電位電源レベルとを所定期間ごとに反転
させて前記共通電極に印加する出力回路を含み、所定の前記セグメント電極に供給される
前記駆動電圧と同電位の電圧が前記共通電極に供給されるときに、前記所定のセグメント
電極に前記ハイインピーダンスの外部制御信号が供給されるようにしてもよい。
【００２４】
通常、分散系を駆動しているときに、所定のセグメント電極と共通電極とが同電位にな
ると、これら所定のセグメント電極と共通電極との間では電位差が生じないため、電界が
発生せずに電気泳動粒子の移動が停止される。ところが、例えば上記所定のセグメント電
極に隣接するセグメント電極に反対レベルの駆動電圧が印加されていると、これら両セグ
メント電極間でリーク電流が発生して電流パスが発生することがある。このように電流パ
スが発生すると、無駄な消費電力が生じてしまう。
【００２５】
これに対して、上記電気泳動表示パネルの駆動装置によれば、所定のセグメント電極と
共通電極とが同電位になるときに、その所定のセグメント電極にハイインピーダンスの外
部制御信号が供給される。従って、隣接するセグメント電極間でのリーク電流の発生が抑
制されるため、このリーク電流による無駄な消費電力が低減される。
【００２６】
この電気泳動表示パネルの駆動装置において、前記駆動回路は、シフトレジスタとデー
タラッチとからなり、前記直列データを並列データに変換する直並列変換回路を含み、
前記データラッチには、電源電圧を低電圧レベルから前記分散系を駆動可能な高電圧レ
ベルに変更可能な高電位電源が接続されてもよい。
【００２７】
この電気泳動表示パネルの駆動装置によれば、例えばデータラッチにて直列データがラ
ッチされた後に、高電位電源により電源電圧を高電圧レベルに切り替えることにより、デ
ータラッチから高電圧レベルにレベル変換されたデータを出力することができる。すなわ
ち、データラッチがレベルシフタを兼用することができる。従って、通常、表示データの
電圧レベルを低電圧レベルから高電圧レベルにレベル変換するために必要なレベルシフタ
を省略することも可能になる。
【００２８】
本発明の電気泳動表示パネルの駆動装置は、共通電極と、該共通電極に対向して配置さ
れた複数のセグメント電極と、前記共通電極と前記セグメント電極との間に配置される電
気泳動粒子を含有する分散系とを含むセグメント表示方式の電気泳動表示パネルの駆動装
置であって、一連の直列データとして供給される複数の表示データに応じた電圧値の駆動
電圧を前記セグメント電極に供給する駆動回路を備え、前記駆動回路は、前記表示データ
とは別に、全ての当該駆動回路に入力される少なくとも二つの外部制御信号に基づいて、
前記表示データに関わらず、前記駆動電圧を所定レベルの電圧値に切り替える切替回路を
含む。
【００２９】
本発明の電気泳動表示パネルの駆動装置によれば、二つの外部制御信号により、全ての
セグメントが所定の階調に表示（単色表示）される。すなわち、所定の階調を表示するた
めの複数の表示データからなる直列データを供給することなく、全てのセグメントを単色
表示することができる。このように全てのセグメントを単色表示する場合に、複数の表示
データからなる直列データの供給を省略できるため、その直列データを供給することによ
り駆動装置において生じる無駄な消費電力を低減することができる。さらに、直列データ
の供給を省略することにより、該直列データを形成する送信側における無駄な消費電力も
低減されるため、駆動装置及び電気泳動表示パネルを含むシステム全体の消費電力を低減
することができる。
【００３０】
本発明の電気泳動表示パネルの駆動方法は、共通電極と、該共通電極に対向して配置さ
れた複数のセグメント電極と、前記共通電極と前記セグメント電極との間に配置される電
気泳動粒子を含有する分散系とを含むセグメント表示方式の電気泳動表示パネルの駆動方
法であって、駆動回路において、一連の直列データとして供給される複数の表示データに
応じた電圧値の駆動電圧を前記セグメント電極に供給する第１の工程と、前記表示データ
とは別に、全ての前記駆動回路に入力される少なくとも一つの外部制御信号に基づいて、
前記表示データに応じた駆動電圧を前記表示データの反転データに応じた電圧値に切り替
える第２の工程とを含む。
【００３１】
本発明の電気泳動表示パネルの駆動方法によれば、一連の直列データとして供給される
複数の表示データに応じて画像を表示する正画像表示と、表示データの反転データに応じ
て画像を表示する反転画像表示とが、外部制御信号に基づいて切り替えられる。すなわち
、表示データの反転データに相当するデータを直列データとして供給することなく、正画
像表示から反転画像表示に切り替えることができる。もちろん、直列データを供給するこ
となく、反転画像表示から正画像表示に切り替えることもできる。従って、正画像表示か
ら反転画像表示、あるいは反転画像表示から正画像表示に切り替える場合に、複数の表示
データからなる直列データの供給を省略できるため、その直列データを供給することによ
り駆動装置において生じる無駄な消費電力を低減することができる。さらに、直列データ
の供給を省略することにより、該直列データを形成する送信側における無駄な消費電力も
低減されるため、駆動装置及び電気泳動表示パネルを含むシステム全体の消費電力を低減
することができる。
【００３２】
この電気泳動表示パネルの駆動方法において、少なくとも二つの前記外部制御信号に基
づいて、前記表示データに関わらず、前記駆動電圧を、所定の階調を表示するための所定
レベルの電圧値に切り替える第３の工程とを含んでもよい。
【００３３】
この電気泳動表示パネルの駆動方法によれば、二つの外部制御信号により、全てのセグ
メントが所定の階調に表示（単色表示）される。すなわち、所定の階調を表示するための
複数の表示データからなる直列データを供給することなく、全てのセグメントを単色表示
することができる。このように全てのセグメントを単色表示する場合についても、直列デ
ータの供給を省略できるため、その直列データを供給することにより生じる無駄な消費電
力を低減することができる。
【００３４】
本発明の電気泳動表示装置は、上記駆動装置を備えた。
本発明の電気泳動表示装置によれば、無駄な消費電力が低減される。
本発明の電子機器は、上述した電気泳動表示装置を備えるあらゆる機器を含むもので、
ディスプレイ装置、テレビジョン装置、電子ブック、電子ペーパ、時計、電卓、携帯電話
、携帯情報端末等を含む。また、「機器」という概念から外れるもの、例えば可撓性のあ
る紙状／フィルム状の物体、これら物体が貼り付けられた壁面等の不動産に属するもの、
車両、飛行体、船舶等の移動体に属するものを含む。
【発明を実施するための最良の形態】
【００３５】
（第１実施形態）
以下、本発明を具体化した電気泳動表示装置の第１実施形態を図１〜図１０に従って説
明する。この電気泳動表示装置は、図１に示す電気泳動表示パネルと図２に示す駆動装置
４０Ａとを備えている。
【００３６】
図１は、電気泳動表示パネルを説明する要部断面図である。図１に示すように、電気泳
動表示パネルは、ガラスや半導体等からなるセグメント基板１０と、ガラスやプラスチッ
ク等の透光性材料からなる対向基板２０とが対向配置されて構成されている。セグメント
基板１０の一側面には、複数（本例では、７９個）のセグメント電極ＶＳＥＧ、例えば図
１においてセグメント電極ＶＳＥＧ０，ＶＳＥＧ１，ＶＳＥＧ２が形成されている。対向
基板２０の一側面には、ＩＴＯ（インジウム錫酸化物）等の透明導電材料からなる平面状
の共通電極ＶＣＯＭが形成されている。
【００３７】
セグメント基板１０と対向基板２０とは一定の間隙を保って、各々の一側面に形成され
た各電極が対向するように貼り合わされている。このセグメント基板１０と対向基板２０
との間隙には、電気泳動粒子３１及び分散媒３２を封止した多数のマイクロカプセル３０
が配置されている。図１では、電気泳動粒子３１として、負に帯電した白粒子３１Ｗと、
正に帯電した黒粒子３１Ｂとを用いている。なお、電気泳動粒子３１の重力による沈降等
を避けるため、電気泳動粒子３１の比重と分散媒３２の比重とがほぼ等しくなるように設
定されている。
【００３８】
セグメント電極ＶＳＥＧに低電位電源ＶＳＳ（例えば、０Ｖ）が印加され、共通電極Ｖ
ＣＯＭに高電圧レベルＨＶＤＤ（例えば、１５Ｖ）が印加されると、セグメント電極ＶＳ
ＥＧ側に正の黒粒子３１Ｂが集まり、共通電極ＶＣＯＭ側に負の白粒子３１Ｗが集まる。
これにより、当該セグメント電極ＶＳＥＧに対応するセグメントに白色が書き込まれる。
一方、セグメント電極ＶＳＥＧに高電圧レベルＨＶＤＤが印加され、共通電極ＶＣＯＭに
低電位電源ＶＳＳが印加されると、セグメント電極ＶＳＥＧ側に負の白粒子３１Ｗが集ま
り、共通電極ＶＣＯＭ側に正の黒粒子３１Ｂが集まる。これにより、当該セグメント電極
ＶＳＥＧに対応するセグメントに黒色が書き込まれる。また、各セグメント電極ＶＳＥＧ
及び共通電極ＶＣＯＭに電圧が印加されない場合には、当該電極は電気的にハイインピー
ダンス状態（Ｈｉ−Ｚ）に保持され、電流リークが防止される。
【００３９】
次に、このように構成された電気泳動表示パネルを駆動する駆動装置について図２〜図
５に従って説明する。
図２に示すように、駆動装置４０Ａは、入力インターフェース部４１Ａと電気泳動表示
パネル（ＥＰＤ）駆動部４２Ａを備えている。なお、駆動装置４０Ａは集積回路によって
構成され、図示は省略するが、内部で使用するクロック信号を発生する発振器や、電池の
低電圧レベルＬＶＤＤ（例えば、３Ｖ）を、上記電気泳動粒子３１及び分散媒３２からな
る分散系を駆動可能な電圧である高電圧レベルＨＶＤＤ（例えば、１５Ｖ）まで昇圧する
ＤＣ−ＤＣコンバータ等を備えている。
【００４０】
入力インターフェース部４１Ａは、外部コンピュータ（図示略）から供給される共通電
極ＶＣＯＭに設定すべき電圧データＤＣＯＭが電圧信号ＳＣＯＭとして入力され、その電
圧信号ＳＣＯＭをＥＰＤ駆動部４２Ａに出力する。
【００４１】
入力インターフェース部４１Ａは、外部コンピュータから供給される各セグメント電極
ＶＳＥＧに設定すべき一連の電圧データ（例えば、７９個の電圧データ）からなるシリア
ルデータＳＤＡＴが入力される。入力インターフェース部４１Ａは、シフトレジスタを用
いてこのシリアルデータＳＤＡＴをパラレルデータに変換し、データラッチに各電極の電
圧データを保持する。入力インターフェース部４１Ａは、データ供給期間を示す供給信号
ＣＳ及び伝送クロックＳＣＫを用いて、上記シリアルデータＳＤＡＴの直列並列変換処理
を行う。
【００４２】
ＥＰＤ駆動部４２Ａは、入力インターフェース部４１Ａから入力される信号とは別に、
外部コンピュータから供給される第１制御信号Ｓ１及び第２制御信号Ｓ２が入力される。
ＥＰＤ駆動部４２Ａは、これら第１及び第２制御信号Ｓ１，Ｓ２及び上記シリアルデータ
ＳＤＡＴに基づいて、対応するセグメント電極ＶＳＥＧに所定の駆動電圧を供給する。ま
た、ＥＰＤ駆動部４２Ａは、入力インターフェース部４１Ａから入力される電圧データＤ
ＣＯＭに基づいて、共通電極ＶＣＯＭに所定の駆動電圧を供給する。
【００４３】
次に、入力インターフェース部４１Ａ及びＥＰＤ駆動部４２Ａの内部構成について図３
に従って説明する。なお、図３においては、７９個のシリアルデータＳＤＡＴのうちの３
個の電圧データＤ０〜Ｄ２と１個の電圧データＤＣＯＭとを処理する回路を例に挙げて説
明する。また、図３に示す破線よりも左側の回路は、低電圧レベルＬＶＤＤで駆動される
とともに、上記破線よりも右側の回路は、高電圧レベルＨＶＤＤで駆動される。
【００４４】
図３に示すように、直列に接続されたデータフリップフロップ（Ｄフリップフロップ）
Ｘ１０〜Ｘ１２によりシフトレジスタが構成されている。初段のＤフリップフロップＸ１
０のＤ端子には、上記シリアルデータＳＤＡＴが入力され、各段のＤフリップフロップＸ
１０〜Ｘ１２のＣ端子には、アンド回路Ｙ１を介して伝送クロックＳＣＫが入力される。
ＤフリップフロップＸ１０〜Ｘ１２のＱ出力は、次段のＤフリップフロップのＤ端子にそ
れぞれ入力されるとともに、データラッチＸ２０〜Ｘ２２のＤ端子にそれぞれ入力される
。各データラッチＸ２０〜Ｘ２２のＣ端子には、インバータ回路Ｙ２を介して供給信号Ｃ
Ｓが入力される。各データラッチＸ２０〜Ｘ２２は、上記供給信号ＣＳに応じて上記Ｄフ
リップフロップＸ１０〜Ｘ１２のＱ出力を取り込む。なお、これらデータラッチＸ２０〜
Ｘ２２は、それぞれＤフリップフロップにより構成されている。
【００４５】
供給信号ＣＳは、上記アンド回路Ｙ１にも入力されており、同アンド回路Ｙ１に入力さ
れる伝送クロックＳＣＫの伝送を規制している。この伝送クロックＳＣＫの伝送の規制は
、シリアルデータＳＤＡＴのデータシフト期間経過後にデータラッチＸ２０〜Ｘ２２によ
るデータラッチ動作が行われるように設定されている。
【００４６】
各データラッチＸ２０〜Ｘ２２のＱ出力、すなわち電圧データＤ０〜Ｄ２は、レベルシ
フタＸ３０〜Ｘ３２のＬＶＩＮ端子にそれぞれ入力される。各データラッチＸ２０〜Ｘ２
２の反転Ｑ（ＸＱ）出力は、レベルシフタＸ３０〜Ｘ３２のＸＬＶＩＮ端子にそれぞれ入
力される。
【００４７】
外部コンピュータから出力される電圧信号ＳＣＯＭは、入力インターフェース部４１Ａ
を介してレベルシフタＸ３３のＬＶＩＮ端子に入力される。また、電圧信号ＳＣＯＭは、
インバータ回路Ｙ３を介してレベルシフタＸ３４のＸＬＶＩＮ端子に入力される。
【００４８】
外部コンピュータから出力される出力指令信号ＳＥＮは、入力インターフェース部４１
Ａを介してレベルシフタＸ３４のＬＶＩＮ端子に入力される。また、出力指令信号ＳＥＮ
は、インバータ回路Ｙ４を介してレベルシフタＸ３４のＸＬＶＩＮ端子に入力される。な
お、これらアンド回路Ｙ１、インバータ回路Ｙ２〜Ｙ４、ＤフリップフロップＸ１０〜Ｘ
１２及びデータラッチＸ２０〜Ｘ２２により入力インターフェース部４１Ａが構成されて
いる。
【００４９】
レベルシフタＸ３０〜Ｘ３４は、ＬＶＩＮ端子及びＸＬＶＩＮ端子に入力される各信号
の電圧レベルを変換して、レベル変換後の信号をＨＶＯＵＴ端子及びＸＨＶＯＵＴ端子か
ら出力する。
【００５０】
図４に示すように、レベルシフタＸ３０は、２つのＰチャネルＭＯＳトランジスタＱＰ
１，ＱＰ２と、２つのＮチャネルＭＯＳトランジスタＱＮ１，ＱＮ２とから構成されてい
る。トランジスタＱＰ１，ＱＮ１及びトランジスタＱＰ２，ＱＮ２はそれぞれ、高電位電
源としての高電圧レベルＨＶＤＤと低電位電源ＶＳＳ間に直列に接続されている。トラン
ジスタＱＮ１のゲートには、ＬＶＩＮ端子が接続され、当該レベルシフタＸ３０の前段で
あるデータラッチＸ２０のＱ出力（電圧データＤ０）が供給される。また、トランジスタ
ＱＮ２のゲートには、ＸＬＶＩＮ端子が接続され、データラッチＸ２０のＸＱ出力（反転
電圧データ）が供給される。
【００５１】
トランジスタＱＰ１のゲートがトランジスタＱＰ２，ＱＮ２間の接続点Ｎ２に接続され
、トランジスタＱＰ２のゲートがトランジスタＱＰ１，ＱＮ１間の接続点Ｎ１に接続され
ている。そして、接続点Ｎ２からレベル変換後の電圧データＤ０がデータ信号ＤＩＮとし
て出力されるとともに、接続点Ｎ１からレベル変換後の反転データとしての反転電圧デー
タが反転データ信号ＸＤＩＮとして出力される。
【００５２】
例えば、ＬＶＩＮ端子にＬレベル（低電位電源ＶＳＳ）の電圧データＤ０が入力され、
ＸＬＶＩＮ端子にＨＬレベル（高電位電源としての低電圧レベルＬＶＤＤ）の反転電圧デ
ータが入力されると、トランジスタＱＮ１がオフし、トランジスタＱＮ２がオンする。す
ると、トランジスタＱＰ１のゲートに低電位電源ＶＳＳが印加されるため、該トランジス
タＱＰ１がオンされ、Ｈレベル（高電位電源としての高電圧レベルＨＶＤＤ）の反転デー
タ信号ＸＤＩＮが出力される。また、トランジスタＱＰ２のゲートには高電圧レベルＨＶ
ＤＤが印加されるため、該トランジスタＱＰ２がオフされ、Ｌレベル（低電位電源ＶＳＳ
）のデータ信号ＤＩＮが出力される。なお、ＬＶＩＮ端子にＨＬレベルの電圧データＤ０
が入力されると、Ｈレベルのデータ信号ＤＩＮが出力されるとともに、Ｌレベルの反転デ
ータ信号ＸＤＩＮが出力される。なお、レベルシフタＸ３１〜Ｘ３４は、レベルシフタＸ
３０と略同様の構成を備えている。
【００５３】
このようにレベルシフタＸ３０〜Ｘ３３は、Ｌレベルである電圧データを同一レベルの
まま出力し、ＨＬレベルである電圧データを、上記分散系を駆動可能な電圧である高電圧
レベルＨＶＤＤ（Ｈレベル）に変換して出力する。
【００５４】
図３に示すように、レベルシフタＸ３０〜Ｘ３２のデータ信号ＤＩＮは、各セグメント
電極ＶＳＥＧ０〜ＶＳＥＧ２に駆動電圧を供給する出力回路Ｘ４０〜Ｘ４２のＤＩＮ端子
にそれぞれ入力される。レベルシフタＸ３０〜Ｘ３２の反転データ信号ＸＤＩＮは、出力
回路Ｘ４０〜Ｘ４２のＸＤＩＮ端子にそれぞれ入力される。これら出力回路Ｘ４０〜Ｘ４
２のＳ１端子及びＳ２端子には、外部コンピュータから直接、第１制御信号Ｓ１及び第２
制御信号Ｓ２が入力される。各出力回路Ｘ４０〜Ｘ４２は、各端子に入力される信号ＤＩ
Ｎ，ＸＤＩＮ，Ｓ１，Ｓ２に基づいて駆動電圧を生成して、該駆動電圧を対応するセグメ
ント電極ＶＳＥＧに供給する。
【００５５】
図５に示すように、出力回路Ｘ４０は、２つの転送ゲートＴＧ１，ＴＧ２により構成さ
れている。転送ゲートＴＧ１を構成するＮチャネルＭＯＳトランジスタＱＮ１１と、転送
ゲートＴＧ２を構成するＰチャネルＭＯＳトランジスタＱＰ１２との両ゲートには、ＤＩ
Ｎ端子が接続され、レベルシフタＸ３０からのデータ信号ＤＩＮが入力される。転送ゲー
トＴＧ１を構成するＰチャネルＭＯＳトランジスタＱＰ１１と、転送ゲートＴＧ２を構成
するＮチャネルＭＯＳトランジスタＱＮ１２との両ゲートには、ＸＤＩＮ端子が接続され
、レベルシフタＸ３０からの反転データ信号ＸＤＩＮが入力される。また、第１制御信号
Ｓ１が転送ゲートＴＧ１に入力されるとともに、第２制御信号Ｓ２が転送ゲートＴＧ２に
入力される。そして、各転送ゲートＴＧ１，ＴＧ２の出力が駆動電圧としてセグメント電
極ＶＳＥＧ０に印加される。なお、トランジスタＱＰ１１，ＱＰ１２のバックゲートには
、高電圧レベルＨＶＤＤが供給され、トランジスタＱＮ１１，ＱＮ１２のバックゲートに
は、低電位電源ＶＳＳが供給されている。
【００５６】
例えば、Ｈレベルのデータ信号ＤＩＮが入力され、Ｌレベルの反転データ信号ＸＤＩＮ
が入力されると、転送ゲートＴＧ１が導通されるとともに、転送ゲートＴＧ２がオフされ
る。すると、導通された転送ゲートＴＧ１に入力される第１制御信号Ｓ１が駆動電圧とし
てセグメント電極ＶＳＥＧ０に供給される。一方、Ｌレベルのデータ信号ＤＩＮが入力さ
れ、Ｈレベルの反転データ信号ＸＤＩＮが入力されると、転送ゲートＴＧ１がオフされる
とともに、転送ゲートＴＧ２が導通される。すると、導通された転送ゲートＴＧ２に入力
される第２制御信号Ｓ２が駆動電圧としてセグメント電極ＶＳＥＧ０に供給される。なお
、出力回路Ｘ４１，Ｘ４２は、出力回路Ｘ４０と略同様の構成を備えている。
【００５７】
このように各出力回路Ｘ４０〜Ｘ４２は、データ信号ＤＩＮ（反転データ信号ＸＤＩＮ
）の信号レベルに応じて各転送ゲートＴＧ１，ＴＧ２を開閉制御し、導通された転送ゲー
トに入力されている制御信号を駆動電圧として各セグメント電極ＶＳＥＧ０〜ＶＳＥＧ２
に供給する。
【００５８】
一方、電圧信号ＳＣＯＭの入力されるレベルシフタＸ３３の反転データ信号ＸＤＩＮは
、共通電極ＶＣＯＭに駆動電圧を供給する出力回路Ｘ４３のＸＤＩＮ端子に入力される。
出力指令信号ＳＥＮの入力されるレベルシフタＸ３４は、Ｌレベルである出力指令信号
ＳＥＮを同一レベルのまま、あるいはＨＬレベルである出力指令信号ＳＥＮを上記Ｈレベ
ルに変換して、出力制御信号ＯＥとして出力回路Ｘ４３の出力イネーブル（ＯＥ）端子に
出力する。なお、レベルシフタＸ３４の反転出力制御信号ＸＯＥは、出力回路Ｘ４３のＸ
ＯＥ端子に入力される。この出力回路Ｘ４３は、図２１に示した３状態インバータからな
る出力回路Ｘ６０と略同様の構成である。従って、出力回路Ｘ４３は、非出力指令を示す
Ｌレベルの出力制御信号ＯＥが入力される期間では、トランジスタＱＰ２２，ＱＮ２２が
ともにオフされるため、ＤＯＵＴ端子をハイインピーダンス（Ｈｉ−Ｚ）に設定する。ま
た、出力回路Ｘ４３は、出力指令を示すＨレベルの出力制御信号ＯＥが入力される期間で
は、レベルシフタＸ３３にてレベル変換された電圧データＤＣＯＭが駆動電圧として共通
電極ＶＣＯＭに供給される。
【００５９】
なお、これらレベルシフタＸ３０〜Ｘ３４及び出力回路Ｘ４０〜Ｘ４３によりＥＰＤ駆
動部４２Ａが構成されている。
このように構成された駆動装置４０Ａの動作について図６に従って説明する。
【００６０】
外部コンピュータは、所定の画像の表示を行わせるために、各セグメント電極ＶＳＥＧ
の電圧データＤ０〜Ｄ２を担うシリアルデータＳＤＡＴ、共通電極ＶＣＯＭの電圧データ
ＤＣＯＭを担う電圧信号ＳＣＯＭ、伝送クロックＳＣＫ、シリアルデータＳＤＡＴの存在
期間をＨＬレベルで示す供給信号ＣＳを駆動装置４０Ａに供給する。
【００６１】
供給信号ＣＳがＨＬレベルとなると、アンド回路Ｙ１の一方の入力がＨＬレベル（高電
位電源としての低電圧レベルＬＶＤＤ）となるため、伝送クロックＳＣＫがアンド回路Ｙ
１の出力信号として各ＤフリップフロップＸ１０〜Ｘ１２のＣ端子に供給される。この伝
送クロックＳＣＫの立ち下がりに同期して、外部コンピュータからシリアルデータＳＤＡ
Ｔ（電圧データＤ０〜Ｄ２）が各ＤフリップフロップＸ１０〜Ｘ１２のＤ端子に供給され
る。ＤフリップフロップＸ１０〜Ｘ１２はそれぞれ、伝送クロックＳＣＫの立ち上がりに
同期して、Ｄ端子に入力される電圧データを取り込むとともに、シリアルデータＳＤＡＴ
を順次シフトさせる。
【００６２】
シリアルデータＳＤＡＴの全電圧データが外部コンピュータから伝送され、シフトレジ
スタ（ＤフリップフロップＸ１０〜Ｘ１２）に保持されると、供給信号ＣＳが立ち下がる
。これにより、各データラッチＸ２０〜Ｘ２２は、対応するＤフリップフロップＸ１０〜
Ｘ１２のＱ出力をそれぞれ取り込み、各セグメント電極ＶＳＥＧ０〜ＶＳＥＧ２の電圧デ
ータＤ０，Ｄ１，Ｄ２をそれぞれラッチする。各データラッチＸ２０〜Ｘ２２は、ラッチ
した電圧データＤ０〜Ｄ２をＱ出力として、レベルシフタＸ３０〜Ｘ３２のＬＶＩＮ端子
にそれぞれ供給する。各レベルシフタＸ３０〜Ｘ３２は、ＬレベルのＱ出力を同一レベル
のまま、あるいはＨＬレベルのＱ出力をＨレベルにレベル変換して、それぞれデータ信号
ＤＩＮとして出力回路Ｘ４０〜Ｘ４２のＤＩＮ端子に出力する。このとき、データ信号Ｄ
ＩＮの信号レベルに応じて、出力回路Ｘ４０〜Ｘ４２内の２つの転送ゲートＴＧ１，ＴＧ
２のうち１つの転送ゲートが導通される。これら転送ゲートＴＧ１，ＴＧ２には、第１制
御信号Ｓ１及び第２制御信号Ｓ２がそれぞれ外部コンピュータから供給されているため、
出力回路Ｘ４０〜Ｘ４２は、導通された転送ゲートに入力されている第１制御信号Ｓ１あ
るいは第２制御信号Ｓ２を駆動電圧として、対応するセグメント電極ＶＳＥＧ０〜ＶＳＥ
Ｇ２にそれぞれ供給する。
【００６３】
なお、図６に示すように第１制御信号Ｓ１がハイインピーダンス状態（Ｈｉ−Ｚ）から
Ｈレベルに遷移され、第２制御信号Ｓ２がＨｉ−ＺからＬレベルに遷移されると、出力回
路Ｘ４０〜Ｘ４２は、レベル変換後の電圧データＤ０〜Ｄ２を駆動電圧として、対応する
セグメント電極ＶＳＥＧ０〜ＶＳＥＧ２にそれぞれ供給する。
【００６４】
一方、外部コンピュータは、共通電極ＶＣＯＭの電圧データＤＣＯＭを電圧信号ＳＣＯ
Ｍとして、入力インターフェース部４１Ａを介してＥＰＤ駆動部４２Ａに供給する。すな
わち、電圧データＤＣＯＭは、レベルシフタＸ３３のＬＶＩＮ端子に入力されるとともに
、インバータ回路Ｙ３を介し反転電圧データとしてレベルシフタＸ３３のＸＬＶＩＮ端子
に入力される。レベルシフタＸ３３は、Ｌレベルの反転電圧データを同一レベルのまま、
あるいはＨＬレベルの反転電圧データをＨレベルにレベル変換して、それぞれ反転データ
信号ＸＤＩＮとして出力回路Ｘ４３のＸＤＩＮ端子に出力する。
【００６５】
次に、外部コンピュータから供給される出力指令信号ＳＥＮが出力指令を示すＨＬレベ
ルに変化すると、レベルシフタＸ３４を通じてＨレベルにレベル変換された出力制御信号
ＯＥが出力回路Ｘ４３のＯＥ端子に入力される。このとき、Ｈレベルの出力制御信号ＯＥ
は、出力イネーブル信号として機能して出力回路Ｘ４３を活性化させる。これにより、出
力回路Ｘ４３のＤＯＵＴ端子は、Ｈｉ−Ｚから反転データ信号ＸＤＩＮの反転信号、すな
わちレベル変換後の電圧データＤＣＯＭに遷移される。そして、出力回路Ｘ４３は、レベ
ル変換後の電圧データＤＣＯＭを駆動電圧として共通電極ＶＣＯＭに供給する。
【００６６】
このようにして各セグメント電極ＶＳＥＧ０〜ＶＳＥＧ２及び共通電極ＶＣＯＭの駆動
電圧が設定される。
図７は、時刻ｔ１，ｔ２，ｔ３，ｔ４において第１及び第２制御信号Ｓ１，Ｓ２の信号
レベルを種々に変化させた場合の各セグメント電極ＶＳＥＧ０〜ＶＳＥＧ２に印加される
駆動電圧を示すタイミングチャートである。なお、ここでは、黒表示すべきＨＬレベルの
電圧データＤ０と白表示すべきＬレベルの電圧データＤ１とが入力される場合について説
明する。
【００６７】
外部コンピュータは、上述した各電極の駆動電圧の設定後、シリアルデータＳＤＡＴ及
び伝送クロックＳＣＫの駆動装置４０Ａへの送出を停止する。
図７に示すように、出力指令信号ＳＥＮがＨＬレベル（出力制御信号ＯＥがＨレベル）
の期間では、共通電極ＶＣＯＭにＨレベルの駆動電圧とＬレベルの駆動電圧とが所定期間
ごとに反転して供給される。なお、共通電極ＶＣＯＭの駆動電圧がＨレベルからＬレベル
に遷移する場合あるいはＬレベルからＨレベルに遷移する場合には、それぞれ対応する信
号レベルの電圧データＤＣＯＭが外部コンピュータから入力インターフェース部４１Ａに
供給される。
【００６８】
一方、ＨＬレベルの電圧データＤ０が入力されると、レベルシフタＸ３０にてＨレベル
にレベル変換されたデータ信号ＤＩＮが出力回路Ｘ４０のＤＩＮ端子に入力される。また
、Ｌレベルの電圧データＤ１が入力されると、Ｌレベルのデータ信号ＤＩＮが出力回路Ｘ
４０のＤＩＮ端子に入力される。
【００６９】
次に、外部コンピュータは、時刻ｔ１において第１制御信号Ｓ１をＨｉ−ＺからＨレベ
ルに遷移させ、第２制御信号Ｓ２をＨｉ−ＺからＬレベルに遷移させる。すると、図８に
示すように、Ｈレベルのデータ信号ＤＩＮが入力される出力回路Ｘ４０では、転送ゲート
ＴＧ１が導通され、転送ゲートＴＧ２がオフされる。このとき、導通された転送ゲートＴ
Ｇ１に入力される第１制御信号Ｓ１がデータ信号ＤＩＮと同レベルのＨレベルであるため
、Ｈレベルの駆動電圧がセグメント電極ＶＳＥＧ０に供給される。また、Ｌレベルのデー
タ信号ＤＩＮが入力される出力回路Ｘ４１では、転送ゲートＴＧ１がオフされ、転送ゲー
トＴＧ２が導通される。このとき、導通された転送ゲートＴＧ２に入力される第２制御信
号Ｓ２がデータ信号ＤＩＮと同レベルのＬレベルであるため、Ｌレベルの駆動電圧がセグ
メント電極ＶＳＥＧ１に供給される。
【００７０】
このようにＨレベルの第１制御信号Ｓ１及びＬレベルの第２制御信号Ｓ２が供給される
と、データ信号ＤＩＮ（レベル変換後の電圧データ）が駆動電圧としてセグメント電極に
供給されるため、シリアルデータＳＤＡＴに応じた正画像が電気泳動表示パネルに表示さ
れることになる。すなわち、Ｈレベルの駆動電圧が共通電極ＶＣＯＭに印加される期間で
は、Ｌレベルの駆動電圧が印加されているセグメント電極ＶＳＥＧ１との間で電位差が生
じ、セグメント電極ＶＳＥＧ１側に正の黒粒子３１Ｂが集まり、共通電極ＶＣＯＭ側に負
の白粒子３１Ｗが集まる。これにより、セグメント電極ＶＳＥＧ１に対応するセグメント
に白色が書き込まれる。一方、Ｌレベルの駆動電圧が共通電極ＶＣＯＭに印加される期間
では、Ｈレベルの駆動電圧が印加されているセグメント電極ＶＳＥＧ０との間で電位差が
生じ、セグメント電極ＶＳＥＧ０側に負の白粒子３１Ｗが集まり、共通電極ＶＣＯＭ側に
正の黒粒子３１Ｂが集まる。これにより、セグメント電極ＶＳＥＧ０に対応するセグメン
トに黒色が書き込まれる。
【００７１】
次に、外部コンピュータは、図７に示す時刻ｔ２において、第１制御信号Ｓ１をＨレベ
ルからＬレベルに遷移させ、第２制御信号Ｓ２をＬレベルからＨレベルに遷移させる。す
ると、図８に示すように、Ｈレベルのデータ信号ＤＩＮに応じて転送ゲートＴＧ１が導通
される出力回路Ｘ４０は、該転送ゲートＴＧ１に入力される第１制御信号Ｓ１が反転デー
タ信号ＸＤＩＮと同レベルのＬレベルであるため、Ｌレベルの駆動電圧をセグメント電極
ＶＳＥＧ０に供給する。また、Ｌレベルのデータ信号ＤＩＮに応じて転送ゲートＴＧ２が
導通される出力回路Ｘ４１は、該転送ゲートＴＧ２に入力される第２制御信号Ｓ２が反転
データ信号ＸＤＩＮと同レベルのＨレベルであるため、Ｈレベルの駆動電圧をセグメント
電極ＶＳＥＧ１に供給する。
【００７２】
このようにＬレベルの第１制御信号Ｓ１及びＨレベルの第２制御信号Ｓ２が供給される
と、反転データ信号ＸＤＩＮ（レベル変換後の反転電圧データ）が駆動信号としてセグメ
ント電極に供給されるため、シリアルデータＳＤＡＴに応じた反転画像が電気泳動表示パ
ネルに表示されることになる。従って、各制御信号Ｓ１，Ｓ２の信号レベルを切り替える
ことのみによって、シリアルデータＳＤＡＴを切り替えることなく、電気泳動表示パネル
の表示を正画像表示から反転画像表示に切り替えることができる。
【００７３】
次に、外部コンピュータは、図７に示す時刻ｔ３において、第１及び第２制御信号Ｓ１
，Ｓ２をＨレベルに設定する。この場合、転送ゲートＴＧ１，ＴＧ２にそれぞれ入力され
る第１及び第２制御信号Ｓ１，Ｓ２がともにＨレベルとなるため、転送ゲートＴＧ１，Ｔ
Ｇ２のうちのどちらが導通されても、常にＨレベルの駆動電圧がセグメント電極に供給さ
れる。すなわち、出力回路Ｘ４０〜Ｘ４２は、データ信号ＤＩＮ（電圧データＤ０〜Ｄ２
）に関わらず、対応するセグメント電極ＶＳＥＧ０〜ＶＳＥＧ２に常時Ｈレベルの駆動電
圧を供給する。そのため、Ｌレベルの駆動電圧が共通電極ＶＣＯＭに印加される期間にお
いて、共通電極ＶＣＯＭと全セグメント電極ＶＳＥＧとの間で電位差が生じ、全セグメン
ト電極ＶＳＥＧ側に負の白粒子３１Ｗが集まり、共通電極ＶＣＯＭ側に正の黒粒子３１Ｂ
が集まる。これにより、全セグメントに黒色が書き込まれる。このように第１及び第２制
御信号Ｓ１，Ｓ２がともにＨレベルに設定される期間では、全セグメントが黒表示（全黒
表示）される。
【００７４】
次に、外部コンピュータは、図７に示す時刻ｔ４において、第１及び第２制御信号Ｓ１
，Ｓ２をＬレベルに設定する。この場合、転送ゲートＴＧ１，ＴＧ２にそれぞれ入力され
る第１及び第２制御信号Ｓ１，Ｓ２がともにＬレベルとなるため、転送ゲートＴＧ１，Ｔ
Ｇ２のうちのどちらが導通されても、常にLレベルの駆動電圧がセグメント電極に供給さ
れる。すなわち、出力回路Ｘ４０〜Ｘ４２は、データ信号ＤＩＮ（電圧データＤ０〜Ｄ２
）に関わらず、対応するセグメント電極ＶＳＥＧ０〜ＶＳＥＧ２に常時Lレベルの駆動電
圧を供給する。そのため、Ｈレベルの駆動電圧が共通電極ＶＣＯＭに印加される期間にお
いて、共通電極ＶＣＯＭと全セグメント電極ＶＳＥＧとの間で電位差が生じ、全セグメン
ト電極ＶＳＥＧ側に正の黒粒子３１Ｂが集まり、共通電極ＶＣＯＭ側に負の白粒子３１Ｗ
が集まる。これにより、全セグメントに白色が書き込まれる。このように第１及び第２制
御信号Ｓ１，Ｓ２がＬレベルに設定される期間では、全セグメントが白色表示（全白表示
）される。
【００７５】
このように、本実施形態における駆動装置４０Ａでは、入力されるシリアルデータＳＤ
ＡＴを変更することなく、第１制御信号Ｓ１及び第２制御信号Ｓ２の信号レベルを変更す
ることのみによって、正画像表示、反転画像表示、全黒表示あるいは全白表示の表示モー
ドを容易に切り替えることができる。これにより、無駄な電力消費を低減でき、消去動作
を高速におこなうことができる。
【００７６】
ところで、図７に示すように、共通電極ＶＣＯＭにＨレベル及びＬレベルの駆動電圧が
交互に印加される場合には、共通電極ＶＣＯＭとセグメント電極ＶＳＥＧとが同電位にな
る期間が存在する。すなわち、図７の正画像表示期間において、Ｌレベルの駆動電圧が共
通電極ＶＣＯＭに印加される期間では、セグメント電極ＶＳＥＧ１と共通電極ＶＣＯＭと
が同電位になる。このとき、セグメント電極ＶＳＥＧ１と共通電極ＶＣＯＭとの間では電
位差が生じないため、電界が発生せずに電気泳動粒子３１の移動が停止される。ところが
、隣接するセグメント電極（ここでは、セグメント電極ＶＳＥＧ０）にＬレベルとは反対
のＨレベルの駆動電圧が印加されていると、これら両セグメント電極ＶＳＥＧ０，ＶＳＥ
Ｇ１間でリーク電流が発生して電流パスが発生することがある。このように電流パスが発
生すると、無駄な消費電力が生じるとともに、電気泳動粒子３１の移動度が変動する可能
性がある。
【００７７】
本発明者らは、共通電極ＶＣＯＭと同電位になるセグメント電極ＶＳＥＧをハイインピ
ーダンスに設定することにより、上記リーク電流の発生が抑制されることを見出した。こ
こで、図２０に示すように、従来の駆動装置６０においては、出力回路Ｘ６０〜Ｘ６２に
入力される出力制御信号ＯＥを、非出力指令を示す信号レベルに設定することでしか、セ
グメント電極ＶＳＥＧをハイインピーダンスに設定することができない。従って、従来の
駆動装置６０では、一方のセグメント電極にＨレベルあるいはＬレベルの駆動電圧を供給
するとともに、他方のセグメント電極をハイインピーダンスに設定することが困難である
。
【００７８】
これに対して、本実施形態の駆動装置４０Ａでは、図９及び図１０に示すように、第１
制御信号Ｓ１及び第２制御信号Ｓ２のいずれか一方をハイインピーダンスに設定すること
により、共通電極ＶＣＯＭと同電位になるセグメント電極を容易にハイインピーダンスに
設定することができる。
【００７９】
図９は、共通電極ＶＣＯＭと同電位になるセグメント電極をハイインピーダンスに設定
する場合のタイミングチャートである。なお、ここでは、図７と同様に黒表示すべきＨＬ
レベルの電圧データＤ０と白表示すべきＬレベルの電圧データＤ１とが入力され、正画像
を表示する場合について説明する。
【００８０】
外部コンピュータは、図９に示すように、Ｈレベルの駆動電圧が共通電極ＶＣＯＭに印
加されている期間には、第１制御信号Ｓ１をハイインピーダンス（Ｈｉ−Ｚ）に設定する
とともに、第２制御信号Ｓ２をＬレベルに設定する。すると、図１０に示すように、Ｈレ
ベルのデータ信号ＤＩＮに応じて転送ゲートＴＧ１が導通される出力回路Ｘ４０は、該転
送ゲートＴＧ１に入力される第１制御信号Ｓ１がＨｉ−Ｚであるため、セグメント電極Ｖ
ＳＥＧ０をＨｉ−Ｚに設定する。また、Ｌレベルのデータ信号ＤＩＮに応じて転送ゲート
ＴＧ２が導通される出力回路Ｘ４１は、該転送ゲートＴＧ２に入力される第２制御信号Ｓ
２がデータ信号ＤＩＮと同レベルのＬレベルであるため、Ｌレベルの駆動電圧をセグメン
ト電極ＶＳＥＧ１に供給する。これにより、セグメント電極ＶＳＥＧ１に対応するセグメ
ントに白色が書き込まれる。
【００８１】
一方、外部コンピュータは、図９に示すように、Ｌレベルの駆動電圧が共通電極ＶＣＯ
Ｍに印加されている期間には、第１制御信号Ｓ１をＨレベルに設定するとともに、第２制
御信号Ｓ２をＨｉ−Ｚに設定する。すると、図１０に示すように、Ｈレベルのデータ信号
ＤＩＮに応じて転送ゲートＴＧ１が導通される出力回路Ｘ４０は、該転送ゲートＴＧ１に
入力される第１制御信号Ｓ１がデータ信号ＤＩＮと同レベルのＨレベルであるため、Ｈレ
ベルの駆動電圧をセグメント電極ＶＳＥＧ１に供給する。これにより、セグメント電極Ｖ
ＳＥＧ０に対応するセグメントに黒色が書き込まれる。また、Ｌレベルのデータ信号ＤＩ
Ｎが入力される出力回路Ｘ４１は、導通される転送ゲートＴＧ２に入力される第２制御信
号Ｓ２がＨｉ−Ｚであるため、セグメント電極ＶＳＥＧ１がＨｉ−Ｚに設定する。
【００８２】
このように第１及び第２制御信号Ｓ１，Ｓ２の信号レベルを制御することにより、共通
電極ＶＣＯＭと同電位になるセグメント電極ＶＳＥＧをＨｉ−Ｚに設定しつつ、シリアル
データＳＤＡＴに応じた正画像を電気泳動表示パネルに表示することができる。
【００８３】
また、本実施形態の駆動装置６０では、図９及び図１０に示すように、第１及び第２制
御信号Ｓ１，Ｓ２の信号レベルを制御することにより、共通電極ＶＣＯＭと同電位になる
セグメント電極ＶＳＥＧをＨｉ−Ｚに設定しつつ、シリアルデータＳＤＡＴに応じた反転
画像を電気泳動表示パネルに表示することもできる。この場合の第１及び第２制御信号Ｓ
１，Ｓ２について詳述すると、Ｈレベルの駆動電圧が共通電極ＶＣＯＭに印加される期間
には、第１制御信号Ｓ１をＬレベルに設定するとともに、第２制御信号Ｓ２をＨｉ−Ｚに
設定する。また、Ｌレベルの駆動電圧が共通電極ＶＣＯＭに印加される期間には、第１制
御信号Ｓ１をＨｉ−Ｚに設定するとともに、第２制御信号Ｓ２をＨレベルに設定する。
【００８４】
以上説明した本実施形態によれば、以下の効果を奏することができる。
（１）本実施形態によれば、第１及び第２制御信号Ｓ１，Ｓ２の信号レベルを変更する
ことにより、正画像表示と反転画像表示とが切り替えられるようにした。これにより、例
えば反転画像を表示させるための新たなシリアルデータＳＤＡＴを供給することなく、正
画像表示及び反転画像表示を切り替えることができる。従って、正画像表示から反転画像
表示、あるいは反転画像表示から正画像表示に切り替える場合に、シリアルデータＳＤＡ
Ｔの供給を省略できるため、そのシリアルデータＳＤＡＴを供給することにより駆動装置
４０Ａにおいて生じる無駄な消費電力を低減することができる。さらに、シリアルデータ
ＳＤＡＴの供給を省略することにより、該シリアルデータＳＤＡＴを形成する外部コンピ
ュータ側における無駄な消費電力も低減されるため、駆動装置４０Ａ及び電気泳動表示パ
ネルを含むシステム全体の消費電力を低減することができる。
【００８５】
（２）本実施形態によれば、第１及び第２制御信号Ｓ１，Ｓ２の両信号レベルをＨレベ
ル又はＬレベルにして、全黒表示又は全白表示を行うようにした。これにより、例えば全
黒表示するためのシリアルデータＳＤＡＴ、すなわち全電圧データＤ０〜Ｄ２をＨＬレベ
ルに設定したシリアルデータＳＤＡＴを供給することなく、全黒表示及び全白表示を行う
ことができる。従って、全黒表示及び全白表示する場合に、シリアルデータＳＤＡＴの供
給を省略できるため、そのシリアルデータＳＤＡＴを供給することにより生じる無駄な消
費電力を低減することができる。
【００８６】
また、電気泳動表示パネルのリフレッシュ動作のために、全黒表示及び全白表示を複数
回繰り返す場合がある。このような場合に、本実施形態の駆動装置４０Ａによれば、第１
及び第２制御信号Ｓ１，Ｓ２の信号レベルを反転することのみにより、全黒表示及び全白
表示の繰り返しを行うことができる。そのため、高速、且つ低消費電力でリフレッシュ動
作を行うことができる。
【００８７】
（３）本実施形態によれば、出力回路Ｘ４０〜Ｘ４２を、データ信号ＤＩＮの信号レベ
ルに基づいて相補的に開閉される転送ゲートＴＧ１，ＴＧ２により構成した。また、第１
制御信号Ｓ１を、転送ゲートＴＧ１を介してセグメント電極ＶＳＥＧに供給し、第２制御
信号Ｓ２を、転送ゲートＴＧ２を介してセグメント電極ＶＳＥＧに供給するようにした。
これにより、導通された転送ゲートに入力された制御信号がセグメント電極ＶＳＥＧに供
給される。従って、その第１制御信号Ｓ１及び第２制御信号Ｓ２の信号レベルを変更する
ことにより、新たなシリアルデータＳＤＡＴを供給することなく、正画像表示、反転画像
表示、全黒表示、全白表示を容易に切り替えることができる。
【００８８】
（４）本実施形態によれば、共通電極ＶＣＯＭと同電位になるセグメント電極ＶＳＥＧ
に供給される制御信号をハイインピーダンスに設定した。これにより、隣接するセグメン
ト電極ＶＳＥＧ間におけるリーク電流の発生が好適に抑制されるため、消費電力を低減す
ることができる。
【００８９】
（第２実施形態）
以下、本発明を具体化した第２実施形態を図１１〜図１３に従って説明する。この実施
形態では、第１制御信号Ｓ１及び第２制御信号Ｓ２の生成方法が上記第１実施形態と異な
っている。以下、第１実施形態との相違点を中心に説明する。先の図１〜図１０に示した
部材と同一の部材にはそれぞれ同一の符号を付して示し、それら各要素についての詳細な
説明は省略する。
【００９０】
図１１に示すように、入力インターフェース部４１Ｂには、第１制御信号Ｓ１を生成す
るための生成信号Ｓ１Ｐ，Ｓ１Ｎと、第２制御信号Ｓ２を生成するための生成信号Ｓ２Ｐ
，Ｓ２Ｎと、が入力される。これら生成信号Ｓ１Ｐ，Ｓ１Ｎ，Ｓ２Ｐ，Ｓ２Ｎは、それぞ
れレベルシフタＸ３５〜Ｘ３８のＬＶＩＮ端子に入力されるとともに、インバータ回路Ｙ
５〜Ｙ８を介してレベルシフタＸ３５〜Ｘ３８のＸＬＶＩＮ端子に入力される。
【００９１】
レベルシフタＸ３５〜Ｘ３８は、図４に示したレベルシフタＸ３０と略同様の構成を備
えている。レベルシフタＸ３５〜Ｘ３８は、各ＬＶＩＮ端子に入力される生成信号Ｓ１Ｐ
，Ｓ１Ｎ，Ｓ２Ｐ，Ｓ２Ｎの高電位電源レベルを、低電圧レベルＬＶＤＤから高電圧レベ
ルＨＶＤＤに昇圧して、ＨＶＯＵＴ端子から出力信号を３値出力回路Ｘ５０，Ｘ５１を出
力する。
【００９２】
３値出力回路Ｘ５０，Ｘ５１は、ＰＧ端子及びＮＧ端子に入力される出力信号に基づい
て、Ｈレベル、Ｌレベルあるいはハイインピーダンス（Ｈｉ−Ｚ）のいずれかの信号を第
１制御信号Ｓ１あるいは第２制御信号Ｓ２として各出力回路Ｘ４０〜Ｘ４２のＳ１端子あ
るいはＳ２端子に出力する。
【００９３】
図１２に示すように、３値出力回路Ｘ５０は、高電圧レベルＨＶＤＤと低電位電源ＶＳ
Ｓとの間に直列に接続されたＰチャネルＭＯＳトランジスタＱＰ１５及びＮチャネルＭＯ
ＳトランジスタＱＮ１５から構成されている。トランジスタＱＰ１５のゲートには、ＰＧ
端子が接続されており、生成信号Ｓ１Ｐに基づく出力信号が供給される。また、トランジ
スタＱＮ１５のゲートには、ＮＧ端子が接続されており、生成信号Ｓ１Ｎに基づく出力信
号が供給される。両トランジスタＱＰ１５，ＱＮ１５の接続点には出力端子ＤＯＵＴが接
続されており、この出力端子ＤＯＵＴから第１制御信号Ｓ１が出力される。
【００９４】
例えばＬレベルの生成信号Ｓ１Ｐが入力され、Ｌレベルの生成信号Ｓ１Ｎが入力される
と、３値出力回路Ｘ５０のＰＧ端子及びＮＧ端子にＬレベルの出力信号が入力される。す
ると、トランジスタＱＰ１５がオンされ、トランジスタＱＮ１５がオフされるため、Ｈレ
ベルの第１制御信号Ｓ１が出力される（図１３参照）。
【００９５】
また、ＨＬレベルの生成信号Ｓ１Ｐが入力され、Ｌレベルの生成信号Ｓ１Ｎが入力され
ると、３値出力回路Ｘ５０のＰＧ端子にＨレベルの出力信号が入力されるとともに、ＮＧ
端子にＬレベルの出力信号が入力される。すると、両トランジスタＱＰ１５，ＱＮ１５が
オフされるため、Ｈｉ−Ｚの第１制御信号Ｓ１が出力される。
【００９６】
また、ＨＬレベルの生成信号Ｓ１Ｐが入力され、ＨＬレベルの生成信号Ｓ１Ｎが入力さ
れると、３値出力回路Ｘ５０のＰＧ端子及びＮＧ端子にＨレベルの出力信号が入力される
。すると、トランジスタＱＰ１５がオフされ、トランジスタＱＮ１５がオンされるため、
Ｌレベルの第１制御信号Ｓ１が出力される。なお、３値出力回路Ｘ５１は、３値出力回路
Ｘ５０と略同様の構成を備えている。
【００９７】
以上、説明した本実施形態によれば、第１実施形態の（１）〜（４）の作用効果に加え
て以下の効果を奏する。
（５）本実施形態によれば、３値出力回路Ｘ５０，Ｘ５１において、レベル変換された
生成信号Ｓ１Ｐ，Ｓ１Ｎ，Ｓ２Ｐ，Ｓ２Ｎの信号レベルに基づいて、高電圧レベルＨＶＤ
Ｄ、低電位電源ＶＳＳあるいはハイインピーダンスのいずれかを第１及び第２制御信号Ｓ
１，Ｓ２として出力するようにした。これにより、生成信号Ｓ１Ｐ，Ｓ１Ｎ，Ｓ２Ｐ，Ｓ
２Ｎから３値出力の第１及び第２制御信号Ｓ１，Ｓ２を生成することができる。
【００９８】
（第３実施形態）
以下、本発明を具体化した第２実施形態を図１４及び図１５に従って説明する。この実
施形態では、データラッチＸ２０〜Ｘ２２が上記第１実施形態と異なっている。以下、第
１実施形態との相違点を中心に説明する。先の図１〜図１３に示した部材と同一の部材に
はそれぞれ同一の符号を付して示し、それら各要素についての詳細な説明は省略する。
【００９９】
本実施形態では、図１４に示すように、図３に示す駆動装置４０ＡからレベルシフタＸ
３０〜Ｘ３２が省略されている。その代わりに、データラッチＸ２０〜Ｘ２２に、低電圧
レベルＬＶＤＤと高電圧レベルＨＶＤＤとの間で電圧値（電源電圧）を変更することので
きる高電位電源ＶＥＰが接続されている。
【０１００】
本実施形態では、図１５に示すように、共通電極ＶＣＯＭへの駆動電圧の出力を制御す
る出力指令信号ＳＥＮの立ち上がりに同期して、上記高電位電源ＶＥＰを、低電圧レベル
ＬＶＤＤから高電圧レベルＨＶＤＤに変更するようにしている。
【０１０１】
すなわち、データラッチＸ２０〜Ｘ２２は、該データラッチＸ２０〜Ｘ２２にてシリア
ルデータＳＤＡＴをラッチするまでは、シリアルデータＳＤＡＴの電圧データＤ０〜Ｄ２
のＨＬレベルと同じ低電圧レベルＬＶＤＤの高電位電源ＶＥＰで駆動される。また、デー
タラッチＸ２０〜Ｘ２２は、シリアルデータＳＤＡＴをラッチ後、該ラッチした電圧デー
タＤ０〜Ｄ２（並列データ）を出力回路Ｘ４０〜Ｘ４２に出力するときに、当該データラ
ッチＸ２０〜Ｘ２２に接続される高電位電源ＶＥＰが低電圧レベルＬＶＤＤから高電圧レ
ベルＨＶＤＤに昇圧されて、高電圧レベルＨＶＤＤの高電位電源ＶＥＰで駆動される。こ
れにより、データラッチＸ２０〜Ｘ２２は、高電位電源が低電圧レベルＬＶＤＤから高電
圧レベルＨＶＤＤに昇圧されたＱ出力（レベル変換後の電圧データ）を、出力回路Ｘ４０
〜Ｘ４２のＤＩＮ端子に出力することができる。
【０１０２】
以上、説明した本実施形態によれば、第１実施形態の（１）〜（４）の作用効果に加え
て以下の効果を奏する。
（６）本実施形態によれば、データラッチＸ２０〜Ｘ２２に、低電圧レベルＬＶＤＤと
高電圧レベルＨＶＤＤとの間で電圧値を変更することのできる高電位電源ＶＥＰを接続し
、シリアルデータＳＤＡＴのラッチ後に上記高電位電源ＶＥＰを低電圧レベルＬＶＤＤか
ら高電圧レベルＨＶＤＤに変更するようにした。これにより、データラッチＸ２０〜Ｘ２
２から高電圧レベルＨＶＤＤにレベル変換された電圧データＤ０〜Ｄ２を出力することが
できるため、図３におけるレベルシフタＸ３０〜Ｘ３２を省略することができる。
【０１０３】
（第４実施形態）
次に、第１〜第３実施形態で説明した電気泳動表示装置の電子機器への適用について図
１６に従って説明する。
【０１０４】
図１６（ａ）は、電子機器の一例である電子ブックの構成を示す斜視図である。この電
子ブック１００は、ブック形状のフレーム１０１と、このフレーム１０１に対して回動自
在に設けられた（開閉可能な）カバー１０２と、操作部１０３と、上記電気泳動表示装置
によって構成された表示部１０４と、を備えている。
【０１０５】
図１６（ｂ）は、電子機器の一例である腕時計の構成を示す斜視図である。この腕時計
１１０は、上記電気泳動表示装置によって構成された表示部１１１を備えている。
図１６（ｃ）は、電子機器の一例である電子ペーパの構成を示す斜視図である。この電
子ペーパ１２０は、紙と同様の質感及び柔軟性を有するリライタブルシートで構成される
本体部１２１と、上記電気泳動表示装置によって構成された表示部１２２を備えている。
【０１０６】
これらの場合でも、電気泳動表示装置により構成された表示部１０４，１１１，１２２
は上記各実施形態と同様の効果を発揮する。その結果、電子ブック１００、腕時計１１０
及び電子ペーパ１２０は、無駄な消費電力を抑制しつつも、正画像表示、反転画像表示、
全黒表示及び全白表示の各表示方式の切り替えを高速に行うことができる。
【０１０７】
（他の実施形態）
なお、上記各実施形態は、これを適宜変更した以下の態様にて実施することもできる。
・上記各実施形態では、共通電極ＶＣＯＭに駆動電圧を供給する出力回路Ｘ４３を３値
出力インバータから構成するようにした。これに限らず、図１７に示すように、出力回路
Ｘ４３を１つの転送ゲートＴＧ１１により構成するようにしてもよい。
【０１０８】
あるいは、出力回路Ｘ４０〜Ｘ４２と同様に、出力回路Ｘ４３を２つの転送ゲートＴＧ
１，ＴＧ２から構成するようにしてもよい。この場合、制御信号Ｓ１，Ｓ２とは別の制御
信号を供給することが好ましい。
【０１０９】
・上記各実施形態における出力回路Ｘ４０〜Ｘ４２を、図１８に示される回路により構
成されるようにしてもよい。すなわち、ＤＩＮ端子をＮチャネルＭＯＳトランジスタＱＮ
２５に接続し、ＸＤＩＮ端子をＰチャネルＭＯＳトランジスタＱＰ２５に接続するととも
に、両トランジスタＱＮ２５，ＱＰ２５のゲートに制御信号Ｓ３を供給する。そして、こ
れら両トランジスタＱＮ２５，ＱＰ２５の出力を３状態インバータの入力に接続する。こ
の回路によれば、制御信号Ｓ３の信号レベルを反転させることによって、シリアルデータ
ＳＤＡＴを切り替えることなく、正画像表示から反転画像表示に、あるいは反転画像表示
から正画像表示に切り替えることができる。
【０１１０】
・上記各実施形態では、転送ゲートＴＧ１，ＴＧ２をＰチャネルＭＯＳトランジスタと
ＮチャネルＭＯＳトランジスタとを並列に接続して構成するようにした。これに限らず、
例えば単一のＮチャネルＭＯＳトランジスタから構成するようにしてもよい。
【０１１１】
・上記各実施形態では、第１及び第２制御信号Ｓ１，Ｓ２の信号レベルを変更すること
により、反転画像表示、全白表示及び全黒表示を行うようにしたが、これらのうちの一部
の表示（例えば、全白表示、全黒表示）を省略してもよい。これによっても、例えば反転
画像表示を行う場合には、シリアルデータＳＤＡＴを新たに供給する必要がないため、従
来の駆動装置６０に比べると消費電力を低減することができる。また、反転画像表示を省
略してもよい。
【０１１２】
・上記各実施形態では、共通電極ＶＣＯＭに、高電圧レベルＨＶＤＤと低電位電源ＶＳ
Ｓとを所定期間ごとに反転させて印加するようにしたが、これに限らず、例えば共通電極
ＶＣＯＭにＧＮＤレベルの一定電圧を印加するようにしてもよい。この場合、共通電極Ｖ
ＣＯＭに印加される電圧データＤＣＯＭを、図１９に示すように、シリアルデータＳＤＡ
Ｔとして供給するようにしてもよい。この場合、セグメント電極ＶＳＥＧには、高電位電
源としては正の高電圧と、低電位電源としては負の高電圧とを印加することが好ましい。
【０１１３】
・上記各実施形態では、高電圧レベルＨＶＤＤ、低電位電源ＶＳＳあるいはハイインピ
ーダンスのいずれかを第１及び第２制御信号Ｓ１，Ｓ２として出力するようにしたが、こ
れに限らず、例えば高電圧レベルＨＶＤＤあるいは低電位電源ＶＳＳの一方を第１及び第
２制御信号Ｓ１，Ｓ２として出力するようにしてもよい。
【０１１４】
・上記第４実施形態で説明した電気泳動表示装置を搭載した電子機器としては、他にも
、例えば携帯電話、屋外の標識、カーナビゲーション装置、電子手帳、電卓、ＰＯＳ端末
、タッチパネルを備えた機器等などが挙げられる。すなわち、電気泳動表示装置をこれら
の機器に適用した場合でも、上記各実施形態と同様な効果を奏する。
【０１１５】
・上記各実施形態では、マイクロカプセル３０内に、負に帯電した白粒子３１Ｗと、正
に帯電した黒粒子３１Ｂと、分散媒３２とを封止するようにしたが、これに制限されない
。例えば、マイクロカプセル３０内に、黒色に着色された分散媒と、正に帯電した白色の
電気泳動粒子とを封止するようにしてもよい。あるいは、カラー表示をおこなうための電
気泳動粒子及び分散媒をマイクロカプセル３０内に封止するようにしてもよい。
【０１１６】
・上記各実施形態では、２値表示の電気泳動表示装置について説明した。これに加えて
、階調表示可能な電気泳動表示装置に適用してもよい。
・上記各実施形態では、電気泳動粒子３１及び分散媒３２をマイクロカプセル３０に封
止するマイクロカプセル方式に具体化したが、マイクロカプセル３０の代わりに隔壁によ
って、電気泳動粒子３１及び分散媒３２を区分けするようにしてもよい。また、マイクロ
カプセル３０を使用しない垂直型電気泳動方式あるいは水平型電気泳動方式に適用しても
よい。
【図面の簡単な説明】
【０１１７】
【図１】第１実施形態における電気泳動表示パネルを示す要部断面図。
【図２】同じく、駆動装置を示すブロック図。
【図３】同じく、駆動装置の内部構成を示すブロック図。
【図４】同じく、レベルシフタを示す回路図。
【図５】同じく、出力回路を示す回路図。
【図６】同じく、駆動装置の動作を説明するためのタイミングチャート。
【図７】同じく、駆動装置の動作を説明するためのタイミングチャート。
【図８】同じく、第１及び第２制御信号の信号レベルを説明するためのテーブル。
【図９】同じく、駆動装置の動作を説明するためのタイミングチャート。
【図１０】同じく、第１及び第２制御信号の信号レベルを説明するためのテーブル。
【図１１】第２実施形態における駆動装置を示すブロック図。
【図１２】同じく、３値出力回路を示す回路図。
【図１３】同じく、第１及び第２制御信号の信号レベルを説明するためのテーブル。
【図１４】第３実施形態における駆動装置を示すブロック図。
【図１５】同じく、高電位電源のレベル変化を示すタイミングチャート。
【図１６】（ａ）〜（ｃ）は、それぞれ電子機器の一例を示す斜視図。
【図１７】変形例における出力回路を示す回路図。
【図１８】変形例における出力回路を示す回路図。
【図１９】変形例における駆動回路を示すブロック図。
【図２０】従来例における駆動装置を示すブロック図。
【図２１】従来例における出力回路を示す回路図。
【符号の説明】
【０１１８】
ＶＣＯＭ…共通電極、ＶＳＥＧ…セグメント電極、Ｄ０〜Ｄ２…表示データとしての電
圧データ、Ｘ４０〜Ｘ４２…切替回路としての出力回路、Ｓ１Ｐ，Ｓ１Ｎ，Ｓ２Ｐ，Ｓ２
Ｎ…生成信号、ＴＧ１，ＴＧ２…転送ゲート、ＱＰ１１，ＱＰ１２…ＰチャネルＭＯＳト
ランジスタ、ＱＮ１１，ＱＮ１２…ＮチャネルＭＯＳトランジスタ、ＶＳＳ…低電位電源
レベルとしての低電位電源、ＨＶＤＤ…高電位電源レベルとしての高電圧レベル、ＬＶＤ
Ｄ…低電圧レベル、Ｘ１０〜Ｘ１２…シフトレジスタを構成するＤフリップフロップ、Ｘ
２０〜Ｘ２２…直並列変換回路を構成するデータラッチ、Ｓ１…第１外部制御信号として
の第１制御信号、Ｓ２…第２外部制御信号としての第２制御信号、ＤＣＯＭ…電圧データ
、ＳＤＡＴ…直列データとしてのシリアルデータ、１…電気泳動表示パネル、３１…電気
泳動粒子、３２…分散系を構成する分散媒、４０Ａ，４０Ｂ，４０Ｃ…駆動装置、４１Ａ
，４１Ｂ，４１Ｃ…駆動回路を構成する入力インターフェース部、４２Ａ，４２Ｂ，４２
Ｃ…駆動回路を構成するＥＰＤ駆動回路、１００…電子ブック、１１０…腕時計、１２０
…電子ペーパ。
【図１】
2008242381.tif 000003
【図２】
2008242381.tif 000004
【図３】
2008242381.tif 000005
【図４】
2008242381.tif 000006
【図５】
2008242381.tif 000007
【図６】
2008242381.tif 000008
【図７】
2008242381.tif 000009
【図８】
2008242381.tif 000010
【図９】
2008242381.tif 000011
【図１０】
2008242381.tif 000012
【図１１】
2008242381.tif 000013
【図１２】
2008242381.tif 000014
【図１３】
2008242381.tif 000015
【図１４】
2008242381.tif 000016
【図１５】
2008242381.tif 000017
【図１６】
2008242381.tif 000018
【図１７】
2008242381.tif 000019
【図１８】
2008242381.tif 000020
【図１９】
2008242381.tif 000021
【図２０】
2008242381.tif 000022
【図２１】
2008242381.tif 000023